(57)【特許請求の範囲】
【請求項１】
放送波に含まれる映像とデータとを分離するための分離手段と、
前記分離手段によって分離された映像を表示するための表示手段と、
外部から命令を受信して、前記分離手段によって分離されたデータに含まれる映像関連データを外部へ送信するための通信手段と、
前記分離手段によって分離された映像から静止画を作成するための静止画作成手段とを含み、
前記通信手段は、前記分離手段によって分離されたデータに含まれるボタンデータと前記静止画作成手段によって作成された静止画とを外部へ送信する、放送受信装置。
【請求項２】
放送受信装置を遠隔操作するためのリモコン装置であって、
外部からデータと画像とを受信するための通信手段と、
前記通信手段によって受信した画像を表示し、前記データに含まれるボタンデータに基づいて前記画像上にボタンを表示するための表示手段と、
前記表示手段によって表示されたボタンを選択するための選択手段とを含み、
前記表示手段は、前記選択手段によって選択されたボタンに対応する映像関連データを表示する、リモコン装置。
【発明の詳細な説明】
【０００１】
【発明の属する技術分野】
本発明は、放送波に重畳されている映像とデータとを受信して、これらを視聴する技術に関し、特に、放送波に多重化されているデータに基づいて電子メールを作成し、インターネットを介して送受信する放送受信装置、それを制御するリモコン装置、放送受信装置からの電子メールに応じてユーザに情報を提供するメールサーバおよびそれらを含んだ放送受信システムに関する。
【０００２】
【従来の技術】
今日、放送波によって送信される映像を受信して表示するＴＶ（テレビジョン）受像機が広く普及している。たとえば、放送局側で視聴者の番組に対する反応を確認する場合には、放送中に懸賞クイズやアンケートなどに応募するための電話番号や住所を放送して、視聴者に電話で応答してもらったり、その住所に葉書などを送付してもらったりすることが行なわれている。また、放送局側では、その結果を使用して、視聴者の意見などを集計している。
【０００３】
また、近年、放送波によって送信される映像を受信するとともに、映像に多重化されたデータを受信することが可能なデータ放送受信機能を有する受信機が普及しつつある。放送している映像に関連するデータは、その映像に多重化されてデータ放送として放送され、ユーザが所望のときにその情報をＣＲＴ（Cathode Ray Tube）等の表示画面上に表示するのが一般的である。
【０００４】
放送されているデータを見るときは、ユーザがデータ放送の専用のボタンを押してデータ放送のモードに切替える。データ放送のモードになると、データを表示するためにＣＲＴ画面に放送されている映像を中断してデータを表示したり、映像を表示するエリアを小さくしてデータを表示するエリアを確保して、そこにデータを表示したりしている。
【０００５】
また、データを取得する別の技術として、特開平９−１６２８１８号公報に開示された発明がある。この特開平９−１６２８１８号公報に開示されたネットワークサービスは、ＴＶ映像信号に、ＴＶ放送番組に関連したネットワークサービスのＵＲＬ（Uniform  Resource  Locators）情報を含む信号を多重化して伝送する。そして、受像機がこの信号を受信してインターネット経由でＵＲＬに対応するアクセスポイントに接続し、データを受信して対応するホームページをＣＲＴに表示するものである。
【０００６】
【発明が解決しようとする課題】
しかし、視聴者がＴＶ放送を見て懸賞クイズやアンケートに応募しようとする場合、ＴＶ受像機で放送される電話番号や住所をメモし、その電話番号に電話をかけたり、その住所に葉書を書いたりしなければならず、手間がかかるという問題点があった。放送局側においても、視聴者からの電話や葉書の内容を手作業で集計しなければならず、手間がかかるという問題点もあった。
【０００７】
また、データ放送受信機能を使用して、データ放送のモードに切替えてデータをＣＲＴ画面上に表示する場合には、映像とデータ放送との関連が不明確になるという問題点があった。すなわち、映像の中で関連するデータが複数ある場合にはそれぞれの対応関係が分かりにくい。また、視聴者がデータ放送を見ようとする場合には、ＣＲＴ画面がデータの表示に使用されるので、放送される映像が見られなかったり、映像を小さな表示エリアに表示して見なければならず、対応関係が分かりにくいという問題点もあった。
【０００８】
また、放送局としては、番組に関連する詳細な情報があったとしても、放送できるデータ量に制限があったり、データの種類が多くなったり、視聴者全体の好み等があったりするため、なるべく多くの人に好まれるような少ないデータ量の情報に抑えなければならない。したがって、視聴者が放送されたデータをさらに詳細に知りたい場合には、別の手段によってその情報を取得しなければならないという問題点があった。
【０００９】
特開平９-１６２８１８号公報に開示されたネットワークサービスにおいては、Ｗｅｂページを作成し、多数のユーザからのアクセスに応じた情報をサーバに蓄積しなければならないため、サーバの負担が大きくなるという問題点がある。また、ユーザはＷｅｂページを閲覧している間は、放送している映像の視聴を中断しなければならないという問題点があった。
【００１０】
本発明は、上記問題点を解決するためになされたものであり、第１の目的は、視聴者が映像と映像関連データとの対応関係を容易に把握することが可能な放送受信装置およびリモコン装置を提供することである。
【００１１】
第２の目的は、番組に関連する詳細な情報を容易に取得することが可能な放送受信装置およびリモコン装置を提供することである。
【００１３】
【課題を解決するための手段】
本発明のある局面に従えば、放送受信装置は、放送波に含まれる映像とデータとを分離するための分離手段と、分離手段によって分離された映像を表示するための表示手段と、外部から命令を受信して、分離手段によって分離されたデータに含まれる映像関連データを外部へ送信するための通信手段と、分離手段によって分離された映像から静止画を作成するための静止画作成手段とを含み、通信手段は、分離手段によって分離されたデータに含まれるボタンデータと静止画作成手段によって作成された静止画とを外部へ送信する。
【００２６】
したがって、外部にある装置の表示部に、映像関連データを表示することが可能となる。
【００２８】
また、外部にある装置の表示部に、静止画とボタンとを関連付けて表示することができ、ボタンに対応する映像関連データを見ることが可能となる。
【００３３】
本発明の別の局面に従えば、放送受信装置を遠隔操作するためのリモコン装置であって、外部からデータと画像とを受信するための通信手段と、通信手段によって受信した画像を表示し、データに含まれるボタンデータに基づいて画像上にボタンを表示するための表示手段と、表示手段によって表示されたボタンを選択するための選択手段とを含み、表示手段は、選択手段によって選択されたボタンに対応する映像関連データを表示する。
【００３４】
表示手段は、選択されたボタンに対応する映像関連データを表示するので、映像と映像関連データとの対応関係を容易に把握することが可能となる。
【００４９】
【発明の実施の形態】
（実施の形態１）
図１は、本発明の実施の形態における放送受信システムの概略構成を示すブロック図である。この放送受信システムは、映像関連データや映像関連データにリンク付けた映像関連ボタン（以下、単にボタンと呼ぶ。）を映像信号に重畳して番組放送を行なう放送装置１０１と、放送装置１０１によって放送される映像、映像関連データおよび映像関連データにリンク付けされたボタン等を表示し、公衆回線を介して電子メールを送受信する放送受信装置１０２と、放送受信装置１０２等を制御するリモコン１０３と、公衆回線を介して電子メールを送受信するメールサーバ１０４と、リモコン１０３によって制御されるパーソナルコンピュータ（以下、パソコンと呼ぶ。）１０５とを含む。
【００５０】
放送受信装置１０２は、放送装置１０１によって放送される映像、映像関連データおよび映像関連データにリンク付けたボタンを受信して、映像等を表示部に表示する。放送受信装置１０２の表示部に表示された映像にボタンが重ねあわせて表示されている場合には、ユーザがリモコン１０３を操作してボタンを選択することによって、その選択されたボタンに対応する映像関連データがあればその映像関連データを放送受信装置１０２の表示部に表示するか、その映像関連データをリモコン１０３に送信してリモコン１０３上の表示部に表示する。
【００５１】
また、放送受信装置１０２の表示部に表示されたボタンにメールアドレスや電子メールの雛形などの情報が付加されている場合には、ユーザはリモコン１０３を操作して放送受信装置１０２から公衆回線を介してメールサーバ１０４へ電子メールを送信することができる。リモコン１０３が、電子メールを送信する機能を有する電話機との複合機の場合には、直接公衆回線を介してメールサーバ１０４に電子メールを送信するようにしても良い。また、リモコン１０３に電子メールを蓄積しておき、まとめてパソコン１０５へ転送してから電子メールを公衆回線を介してメールサーバ１０４へ送信するようにしても良い。
【００５２】
送信される電子メールには、返信用アドレスとしてパソコン１０５等のメールアドレスが書かれており、メールサーバ１０４はそのメールアドレスを参照して、要求があった映像関連データを電子メールとしてパソコン１０５等に返送する。また、メールサーバ１０４は、ユーザから送信された電子メールの内容に基づいて分類を行ない、集計リスト等を作成することができる。
【００５３】
図２は、本実施の形態における放送受信装置の外観例を示す図である。放送受信装置１０２は、受信した映像等を表示するＣＲＴ２０２と、赤外線によってリモコン１０３との間でデータを送受信する赤外線受発光部２０５と、ＬＥＤ２１０とを含む。ＣＲＴ２０２上に、映像に重ねあわせてボタンが表示される場合には、そのボタンを選択するためのカーソルも表示される。ＬＥＤ２１０は、映像関連データが受信されているときに点灯または点滅して、ユーザに映像関連データがあることを知らせる。なお、映像関連データが受信されていることをユーザに知らせる手段はこのＬＥＤ２１０に限られず、たとえば番組の放送中にアナウンサがそのことを喋ったり、ボタンやボタンを選択するためのカーソルを自動的に表示したりしても良い。
【００５４】
図３は、本実施の形態におけるリモコン１０３の外観例を示す図である。このリモコン１０３は、映像関連データ等がある場合に映像関連ボタンおよびカーソルを表示するよう指示する“表”ボタン３１１と、映像関連ボタンおよびカーソルの表示を終了して、映像のみの表示をするよう指示する“消”ボタン３１２と、映像関連データがある場合はその内容をＣＲＴ２０２に表示し、映像関連データがない場合には電子メールを作成するよう指示する“決”ボタン３１３と、カーソルの移動する方向を指示するカーソル移動ボタン３１４と、放送受信装置１０２やパソコン１０５との間で赤外線データを送受信する赤外線受発光部３１５とを含む。なお、リモコン１０３の回路構成は、一般的なリモコンと同様であるので詳細な説明は行わない。
【００５５】
図４は、本実施の形態における放送受信装置１０２の概略構成を示すブロック図である。この放送受信装置１０２は、図示しないアンテナを介して放送波を受信して映像信号とデータとに分離する映像／データ分離部２０１と、受信した映像等を表示するＣＲＴ２０２と、映像／データ分離部によって分離されたデータ（ボタンデータ、映像関連データ）を保存するメモリ２０３と、リモコン１０３から送信される赤外線データに応じて、メモリ２０３に保存されたボタンデータを検索するボタンデータ検索部２０４と、赤外線によってリモコン１０３との間でデータを送受信する赤外線受発光部２０５と、リモコン１０３から送信される赤外線データに応じて、ＣＲＴ２０２上に表示されるカーソルの移動を制御するカーソル制御部２０６と、予め登録されているユーザ情報を管理するユーザ情報管理部２０７と、ユーザ情報管理部２０７によって管理されるユーザ情報等を参照して電子メールを作成するメール作成部２０８と、メール作成部２０８によって作成された電子メールを送信するメール送信部２０９と、ＬＥＤ（Light Emitting Diode）２１０とを含む。
【００５６】
映像／データ分離部２０１は、図示しないアンテナを介して受信した放送波の検波、復調等を行なって映像信号とデータ信号とに分離し、映像信号をＣＲＴ２０２へ出力することによって、ＣＲＴ２０２上に映像を表示する。また、映像／データ分離部２０１は、分離したデータ信号からデータを再生してメモリ２０３に保存する。映像信号に重畳されたデータとして、ボタンデータおよび映像関連データが含まれる。
【００５７】
映像信号にボタンデータが重畳されている場合には、ＣＲＴ２０２上に表示された映像に重ねあわせてボタンが表示され、ユーザは表示されたボタンの中からいずれかを選択することが可能となる。また、ＣＲＴ２０２上に実際にボタンが表示されていない場合には、仮想的なボタンとしてＬＥＤ２１０を光らせることによってユーザに映像の他に映像関連データを取出すことができることを知らせるようにしても良い。また、ユーザに映像関連データがあることを知らせる手段として、たとえば放送の中でアナウンサが映像関連データがあることを話しても良いし、カーソル制御部２０６がボタンを選択するためのカーソルを表示するようにしても良いが、これらに限られるものではない。
【００５８】
赤外線受発光部２０５は、リモコン１０３との間で赤外線データ通信を行い、リモコン１０３からカーソル移動命令やボタンの選択命令を受信する。赤外線受発光部２０５によってボタンの選択命令が受信されると、ボタンデータ検索部２０４は、メモリ２０３に保存されたボタンデータを参照して、ボタンが選択された時点のカーソル位置にあるボタンを検索する。ボタンデータ検索部２０４は、カーソル位置に対応するボタンがメモリ２０３にあり、そのボタンに関連付けられている関連データがある場合には、その関連データをＣＲＴ２０２上に表示する。また、そのボタンにメール作成のためのメールアドレスや雛形が付加されている場合には、メール作成部２０８にその情報を転送するとともに、電子メールの作成命令を出力する。
【００５９】
ボタンデータ検索部２０４から電子メールの作成命令があると、メール作成部２０８は返信用のメールアドレスをユーザ情報管理部２０７から抽出し、メモリ２０３からメールの雛形を電子メールの本文として抽出し、電子メールを作成する。そして、メール送信部２０９は公衆回線を介して、メール作成部２０８によって作成された電子メールをボタンに付加されたメールアドレス宛てに送信する。なお、電子メールの送信には課金などの負担がユーザにかかる場合があるので、電子メールを送信する前にユーザに対して電子メール送信の確認を行なうようにしても良い。
【００６０】
なお、本実施の形態における放送受信装置の表示装置として、ＣＲＴ２０２が用いられた場合について説明したが、これに限られるものではない。たとえば、液晶ディスプレイなどのように、映像、ボタンおよびカーソル等を表示できるものであれば良い。
【００６１】
図５は、本実施の形態における放送受信装置の処理手順を説明するためのフローチャートである。まず、映像／データ分離部２０１は、放送波にデータが重畳されているか否かを判定する（Ｓ１）。放送波にデータが重畳されていない場合には（Ｓ１，なし）、ステップＳ１へ戻って処理を繰返す。また、放送波にデータが重畳されている場合には（Ｓ１，あり）、映像／データ分離部２０１はボタンデータ等をメモリ２０３に蓄積する（Ｓ２）。
【００６２】
次に、赤外線受発光部２０５を介してユーザからの指示が入力されたか否かが判定される。ユーザがリモコン１０３のカーソル移動ボタンを押した場合には（Ｓ３，カーソル移動ボタン）、赤外線受発光部２０５はカーソルの移動命令をカーソル制御部２０６へ出力する（Ｓ４）。カーソル制御部２０６は、カーソルの移動命令を受けると、ユーザによって指示された方向にカーソルの移動を行う。
【００６３】
ユーザがリモコン１０３を操作して、ボタンの選択操作を行った場合には（Ｓ３，選択操作）、ボタンデータ検索部２０４はカーソル位置とボタンとの間に対応関係があるか否かを判定する（Ｓ５）。カーソル位置とボタンとの間に対応関係がなければ（Ｓ５，なし）、ステップＳ１へ戻って以降の処理を繰返す。また、カーソル位置とボタンとの間に対応関係があれば（Ｓ５，あり）、ボタンデータ検索部２０４は、対応するボタンに関連する情報（映像関連データ）をメモリ２０３から抽出する。
【００６４】
メモリ２０３に映像関連データがあれば（Ｓ７，Ｙｅｓ）、抽出した映像関連データをＣＲＴ２０２に表示する（Ｓ８）。また、メモリ２０３にボタンに対応する映像関連データがなければ（Ｓ７，Ｎｏ）、そのボタンに対応する電子メールの情報が存在するので、メール作成部２０８はそのボタンに付加されている電子メールの雛形から電子メールを作成する（Ｓ９）。そして、メール送信部２０９は、作成された電子メールを送信する（Ｓ１０）。
【００６５】
次に、本実施の形態における放送受信装置１０２が、実際に放送された番組を受信する場合について説明する。
【００６６】
（番組例１）
まず、受信する番組例として、ＴＶショッピングの番組が放送される場合について説明する。ＴＶショッピングにおいて、放送されている映像によって商品の説明が行われるが、説明される内容のより詳細なカタログなどの情報はメールサーバ１０４に予め蓄積されているものとする。
【００６７】
図６は、ＴＶショッピングにおいて使用されるボタンデータの一例を示す図である。このボタンデータには、画面にボタンを表示するときの座標であるボタン座標と、ボタンのサイズと、ボタン名と、電子メールの送信先アドレスと、ボタンの有効期限と、電子メールの有効期限と、電子メールの雛形とを含む。
【００６８】
ＣＲＴ２０２に表示された映像の中の対象となる商品と重なる位置に、ボタン座標（ｘ，ｙ）およびボタンサイズ（ｗ，ｈ）が設定され、商品の映像に重ねあわせてボタンが表示される。番組の進行で映像が変わるのに伴って、ボタン座標やボタンサイズのデータが送りなおされ、異なるボタン座標およびボタンサイズが設定される。また、ボタン有効期限が設定されていれば、番組の進行に伴ってボタンが不要となったときに簡単に消去することができる。
【００６９】
図４に示す電子メールの雛形の項目の中で＜＞で括られている部分には、メール作成部２０８が電子メールを作成する際に、ユーザ情報が記述される。また、雛形の他の部分は、メール作成部２０８が電子メールを作成する際に、そのまま使用される。この雛形は、放送局側で決定することができるので、メールサーバ１０４がその電子メールを受信したときに処理しやすい形式で作成される。たとえば、雛形の１行目に商品名、２行目に返信アドレス、３行目に氏名というように決めておけば、電子メールに記述された１行目の商品に関する情報を、２行目のアドレスに送信すれば良いことが直ぐに分かる。また、送信アドレスが複数のボタンで共通であれば、予め送信アドレスを映像に重畳して送信しておくことで、個々のボタンに送信アドレスを記述しておく必要がなくなる。
【００７０】
ユーザが、ＣＲＴ２０２に表示された商品にカーソルをあわせ、ボタンを選択することによって、メール作成部２０８は電子メールの作成を開始する。
【００７１】
図７は、メール作成部２０８によって作成された電子メールの一例を示す図である。この電子メールの送信先アドレスには、図６に示すボタンデータに付加された送信アドレスが記述される。また、電子メールの本文の作成には、図６に示すボタンデータに付加された雛形が用いられる。雛形の＜返信アドレス＞には、ユーザ情報管理部２０７によって保持されるユーザ情報が参照されて、ユーザのメールアドレスが記述される。また、雛形の＜名前＞には、ユーザの名前が記述される。なお、本文の他の部分は、雛形の内容がそのまま使用される。また、ボタンにメール有効期限が設定されている場合には、電子メール作成部２０８は電子メールを作成して発信しないようにすることもできる。
【００７２】
メールサーバ１０４は、受信した電子メールの本文を検索し、要求されている商品に対応する情報が記述された電子メールをユーザに送返する。このユーザに返送する情報として、商品のカタログ等の情報だけでなく、割引券や予約情報先のような購入を促す情報を添付するようにしても良い。ユーザは、送返された電子メールをパソコン１０５で閲覧することができる。
【００７３】
（番組例２）
次に、受信する番組の他の一例として、野球中継の番組が放送される場合について説明する。野球中継において、番組の中でＸチームとＹチームとのいずれが勝つかというようなクイズを出して、正解者の中から抽選でプレゼントを贈るという場合について考える。図８は、野球中継の番組の中で、映像に重畳されて送信されるボタンデータの一例を示す図である。このボタンデータには、ボタン１およびボタン２のデータが含まれる。ボタン１はＸチームの映像に、ボタン２はＹチームの映像に重ねあわされて表示される。なお、図８に示すそれぞれのボタンデータの内容は、図６に示すボタンデータの内容と同様であるので、詳細な説明は繰返さない。
【００７４】
図９は、野球中継の映像に重ねあわされてボタンが表示された場合の一例を示す図である。ＣＲＴ２０２に表示された映像上に、ボタン１（７０１）およびボタン２（７０２）が表示され、それぞれＸチームおよびＹチームに対応していることを示している。また、ボタン１およびボタン２を仮想ボタンとして表示しない場合には、図１０に示すように有効領域８０１および８０２を表示して、カーソルがある方の有効領域のチームが選択されたものとしても良い。番組の進行で映像が変わるのに伴って、ボタン座標やボタンサイズのデータが送りなおされ、異なるボタン座標およびボタンサイズが設定される。また、ボタン有効期限を設定して、アンケートの締切時間になればボタンを消去することも可能である。
【００７５】
ボタンが選択されたときの処理は、番組例１において説明した処理と同様である。すなわち、メール作成部２０８は、ユーザによって選択された方のボタンに対応するボタンデータを参照して、電子メールを作成する。そして、メール送信部２０９は、メール作成部２０８によって作成された電子メールを公衆回線を介してメールサーバ１０４へ送信する。
【００７６】
メールサーバ１０４は、ユーザからの電子メールを受信すると、不正による回答を排除する。たとえば、同一ユーザから複数の回答があった場合には、最初に受信した回答のみを有効とし、他の回答を不正として扱うようにする。ユーザから送信される電子メールはメールサーバ１０４によって処理されるので、放送される映像に重畳される電子メールの雛形が、図６または図８に示すような人間にとって可読性が高いものである必要はない。また、放送中に送信したデータに対する電子メール以外のものを排除したいときには、電子メールの雛形を暗号化して送信しておき、メールサーバ１０４で復号化することにより、正当な電子メールのみを処理することが可能である。
【００７７】
また、メールサーバ１０４は、受信した電子メールを蓄積しておき、試合の終了後に正解者の中から抽選により当選者を決定するようにしても良い。電子メールの内容にユーザの住所や氏名などの情報が記述されているので、放送局は当選者の宛先にプレゼントを送ることができる。なお、正解の発表は放送中の映像など、電子メール以外の手段によっても可能であるので、必ずしも電子メールを当選者のパソコン１０５へ送信する必要はない。
【００７８】
また、上述した番組例以外にも、同様にしてクイズ番組や討論番組等を作成すれば、番組の放送中に択一式のアンケートや世論調査なども簡単に行えるようになる。
【００７９】
以上説明したように、本実施の形態における放送受信システムによれば、放送受信装置１０２は映像関連データに対応するボタンを映像に重ねあわせて表示するようにしたので、ユーザは映像と映像関連データとの対応関係を容易に把握することが可能となった。また、放送受信装置１０２は放送波に重畳されたボタンデータからメールアドレスと電子メールの雛形とを抽出し、電子メールを自動的に作成して送信するようにしたので、ユーザは電話をかけたり、葉書を書いたり、電子メールを作成したりする必要がなくなった。また、放送局側においても、メールサーバ１０４に蓄積されている電子メールを参照するだけで、ユーザからのアンケートやクイズの回答等を集計することができ、集計に必要となる手間を省くことが可能となった。
【００８０】
（実施の形態２）
本発明の実施の形態２における放送受信システムの概略構成は、図１に示す実施の形態１における放送受信システムと比較して、放送受信装置およびリモコンの構成が異なる点のみが異なる。したがって、重複する構成および機能の詳細な説明は繰返さない。なお、本実施の形態における放送受信装置およびリモコンの参照符号を１０２’および１０３’として説明する。
【００８１】
図１１は、本実施の形態における放送受信装置１０２’の概略構成を示すブロック図である。この放送受信装置１０２’は、図示しないアンテナを介して放送波を受信して映像信号とデータとに分離する映像／データ分離部２０１と、受信した映像等を表示するＣＲＴ２０２と、映像／データ分離部によって分離されたデータ（ボタンデータ、映像関連データ）を保存するメモリ２０３と、赤外線によってリモコン１０３’との間でデータを送受信する赤外線受発光部２０５と、リモコン１０３’から受信した電子メールを送信するメール送信部２０９と、ＬＥＤ２１０と、映像から静止画を抽出してメモリ２０３に保存する静止画作成部２１１とを含む。
【００８２】
静止画作成部２１１は、映像／データ分離部２０１によって分離された映像から１フレーム分の画像を切出し、必要に応じて縮小することにより静止画としてメモリ２０３に保存する。この静止画は、後述するリモコン１０３’の表示部に表示され、ボタンを表示する背景の画像として使用される。なお、リモコンに静止画を表示する機能がなければ、この静止画作成部２１１を省略することも可能である。
【００８３】
赤外線受発光部２０５は、リモコン１０３’から映像関連データ取得の指示を受信すると、メモリ２０３に保存されているボタンデータと、静止画作成部２１１によって作成された静止画とを抽出してリモコン１０３’へ送信する。ユーザによって選択されたボタンに対応する映像関連データがある場合は、リモコン１０３’から映像関連データの送信指示があるので、赤外線受発光部２０５はその指示に応じて映像関連データをリモコン１０３’へ送信する。
【００８４】
また、後述するように、リモコン１０３’によって電子メールが作成された場合には、赤外線受発光部２０５はその電子メールを受信する。そして、メール送信部２０９は、リモコン１０３’から受信した電子メールを公衆回線を介してメールサーバ１０４へ送信する。
【００８５】
図１２は、本実施の形態におけるリモコンの外観例を示す図である。このリモコン１０３’は、放送受信装置１０２’との間で赤外線通信を行う赤外線受発光部３０１と、タブレット付液晶ディスプレイ（表示部）３０３と、映像関連データ等がある場合に映像関連ボタンおよびカーソルを表示するよう指示する“表”ボタン３１１と、映像関連ボタンおよびカーソルの表示を終了して、映像のみの表示をするよう指示する“消”ボタン３１２とを含む。
【００８６】
ユーザが“表”ボタン３１１を押下すると、映像関連ボタンを表示するモードに切替わる。そのとき、赤外線受発光部３０１は放送受信装置１０２’に対して映像関連データの取得指示を行い、放送受信装置１０２’からボタンデータおよび静止画を受信する。この受信した静止画はタブレット付液晶ディスプレイ３０３に表示され、静止画上にボタンが表示される。ユーザが表示されたボタンにタッチすると、タブレット付液晶ディスプレイ３０３はその情報を入力してボタンの選択が行われる。
【００８７】
選択されたボタンに対応する映像関連データがある場合には、タブレット付液晶ディスプレイ３０３にその映像関連データが表示される。映像関連データがない場合には、ボタンデータに付加された情報が参照されて電子メールが作成され、赤外線送受信部３０１を介して放送受信装置１０２’へ送信される。また、ユーザが“消”ボタン３１２を押下すると、映像関連ボタンを表示するモードが終了し、表示部３０３には何も表示されない。
【００８８】
図１３は、本実施の形態におけるリモコン１０３’の概略構成を示すブロック図である。このリモコン１０３’は、赤外線によって放送受信装置１０２’との間でデータを送受信する赤外線受発光部３０１と、赤外線受発光部３０１によって受信されたデータ（ボタンデータ、映像関連データ）を保存するメモリ３０２と、タブレット付液晶ディスプレイ（表示部）３０３と、タブレット付液晶ディスプレイ３０３上のタッチされた位置に対応するボタンを選択するボタン選択部３０４と、ボタン選択部３０４によって選択されたボタンに対応するボタンデータを検索するボタンデータ検索部３０５と、予め登録されているユーザ情報を管理するユーザ情報管理部３０６と、ユーザ情報管理部３０６によって管理されるユーザ情報等を参照して電子メールを作成するメール作成部３０７と、“表”ボタン３１１、“消”ボタン３１２等が押下されたことを検出する制御入力部３０８と、メール作成部３０７によって作成された電子メールを蓄積するメール蓄積部３０９とを含む。
【００８９】
制御入力部３０８が“表”ボタン３１１が押下されたことを検出すると、赤外線受発光部３０１は映像関連データ取得の指示を放送受信装置１０２’へ送信し、放送受信装置１０２’からその指示に応じたボタンデータと静止画とを受信してメモリ３０２に保存する。表示部３０３は、メモリ３０２に保存されている静止画を表示し、その静止画の映像に対応させてボタンを表示する。なお、表示部３０３が静止画を表示する機能を有していなければ、ボタン名を付したボタンのみを表示するようにしても良い。
【００９０】
ユーザが表示部３０３にタッチしてボタンが選択されると、ボタンデータ検索部３０５は選択されたボタンに対応する映像関連データがあれば、表示部３０３にその映像関連データを表示させる。また、選択されたボタンに対応する映像関連データがなければ、そのボタンに対応するボタンデータを抽出してメール作成部３０７に電子メールを作成させる。そして、メール作成部３０７によって作成された電子メールは、赤外線受発光部３０１によって放送受信装置１０２’へ送信される。また、メール作成部３０７によって作成された電子メールは、メール蓄積部３０９に蓄積されて、後でまとめて放送受信装置１０２’へ送信されても良い。なお、リモコン１０３’が、電子メールを送信する機能を有する電話機との複合機の場合には、直接公衆回線を介してメールサーバ１０４に電子メールを送信するようにしても良い。
【００９１】
本実施の形態においては、リモコン１０３’の表示部３０３に静止画を表示するようにしたが、放送受信装置１０２’と同様に動画を表示するようにしても良い。また、リモコン１０３’内にユーザ情報管理部３０６があるので、携帯性が高い。すなわち、放送受信装置が個人のものではなく公共のものであっても、ユーザが外出中に放送受信装置による放送を見て詳細な情報が欲しい場合には、家庭にあるパソコンのメールアドレスを指定することにより、帰宅後にその詳細な情報を取得することができる。
【００９２】
以上説明したように、本実施の形態における放送受信システムによれば、リモコン１０３’の表示部３０３に、映像関連データに対応するボタンを静止画に重ねあわせて表示するようにしたので、ユーザは映像と映像関連データとの対応関係を容易に把握することが可能となった。また、リモコン１０３’は放送波に重畳されたボタンデータからメールアドレスと電子メールの雛形とを抽出し、電子メールを自動的に作成するようにしたので、ユーザは電話をかけたり、葉書を書いたり、電子メールを作成したりする必要がなくなった。また、放送局側においても、メールサーバ１０４に蓄積されている電子メールを参照するだけで、ユーザからのアンケートやクイズの回答等を集計することができ、集計に必要となる手間を省くことが可能となった。リモコン１０３’の表示部３０３にボタン等が表示され、放送受信装置１０２’には映像のみが表示されるため、通常の映像を見ながら映像関連データを閲覧したりすることが可能となり、ユーザによる操作性が向上した。
【００９３】
今回開示された実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】  本発明の実施の形態１における放送受信システムの概略構成を示すブロック図である。
【図２】  本発明の実施の形態１における放送受信装置１０２の外観例を示す図である。
【図３】  本発明の実施の形態１におけるリモコン１０３の外観例を示す図である。
【図４】  本発明の実施の形態１における放送受信装置１０２の概略構成を示すブロック図である。
【図５】  本発明の実施の形態１における放送受信装置１０２の処理手順を説明するためのフローチャートである。
【図６】  ボタンデータの一例を示す図である。
【図７】  メール作成部２０８によって作成された電子メールの一例を示す図である。
【図８】  ボタンデータの他の一例を示す図である。
【図９】  映像にボタンが重ねあわせて表示された場合を示す図である。
【図１０】  映像に有効領域が表示された場合を示す図である。
【図１１】  本発明の実施の形態２における放送受信装置１０２’の概略構成を示すブロック図である。
【図１２】  本発明の実施の形態２におけるリモコン１０３’の外観例を示す図である。
【図１３】  本発明の実施の形態２におけるリモコン１０３’の概略構成を示すブロック図である。
【符号の説明】
１０１  放送装置、１０２，１０２’  放送受信装置、１０３，１０３’  リモコン、１０４  メールサーバ、１０５  パソコン、２０１  映像/データ分離部、２０２  ＣＲＴ、２０３，３０２  メモリ、２０４，３０５  ボタンデータ検索部、２０５，３０１  赤外線受発光部、２０６  カーソル制御部、２０７，３０６  ユーザ情報管理部、２０８，３０７  メール作成部、２０９  メール送信部、２１０  ＬＥＤ、２１１  静止画作成部、３０３  表示部、３０４  ボタン選択部、３０８  制御入力部、３０９  メール蓄積部、３１１  “表”ボタン、３１２  “消”ボタン、３１３  “決”ボタン、３１４  カーソル移動ボタン。
【図１】
0004535572.tif 000002
【図２】
0004535572.tif 000003
【図３】
0004535572.tif 000004
【図４】
0004535572.tif 000005
【図５】
0004535572.tif 000006
【図６】
0004535572.tif 000007
【図７】
0004535572.tif 000008
【図８】
0004535572.tif 000009
【図９】
0004535572.tif 000010
【図１０】
0004535572.tif 000011
【図１１】
0004535572.tif 000012
【図１２】
0004535572.tif 000013
【図１３】
0004535572.tif 000014